(57)【特許請求の範囲】
【請求項１】
画像を表示する表示部が設けられた第１の面と、前記第１の面の反対側に位置する第２の面と、を有する装置と、
前記装置の第２の面に付く、前記第２の面の対向する両端面に比して外縁部分が端面から延出している第１の部分と、
前記第１の部分に回動可能に連結され、中間部が回動軸回りに変形可能に設けられた前記第１の面を覆う第１の形態と、前記装置の第１の面を露出させた状態で、中間部が変形されて前記第１の部分と協動して前記装置を支持する第２の形態と、を司る前記第１の面の対向する両端面に比して外縁部分が端面から延出している第２の部分と、
を備え、前記中間部が変形されて前記装置の第１の面を露出させた状態で、前記第２の部分に設けられた調整部が前記装置の支持角度を調整可能に前記装置の第２の面を支持する電子機器。
【発明の詳細な説明】
【技術分野】
【０００１】
本発明の実施形態は、電子機器に関する。
【背景技術】
【０００２】
テレビジョン受像装置やその他の画像を表示する表示部を備える電子機器は、例えば持ち運びの際に表示部を保護するためのカバーを備えることがある。さらに、このカバーが当該テレビジョン受像装置等を支持するスタンドとして用いられることがある。
【先行技術文献】
【特許文献】
【０００３】
【特許文献１】特開平１０−６５３５６号公報
【発明の概要】
【発明が解決しようとする課題】
【０００４】
スタンドとして用いられるカバーの場合、テレビジョン受像装置の表示部を覆う部分の強度が減じる場合がある。このように、スタンドとして用いられるカバーには改良の余地がある。
【０００５】
本発明の目的は、表示部が保護される電子機器を提供することにある。
【課題を解決するための手段】
【０００６】
一つの実施の形態に係る電子機器は、装置と、第１の部分と、第２の部分とを備える。前記装置は、画像を表示する表示部が設けられた第１の面と、前記第１の面の反対側に位置する第２の面と、を有する。前記第１の部分は、前記装置の第２の面の対向する両端面に比して外縁部分が端面から延出されて形成され、該第２の面に付く。前記第２の部分は、前記第１の面の対向する両端面に比して外縁部分が端面から延出されて形成され、前記第１の部分に回動自在に連結されるとともに、その中間部が回動軸回りに回動可能に設けられ、前記第１の面を覆う第１の形態と、前記第１の面を露出させた状態で装置を支持する第２の形態と、の間で変形可能であり、且つ、第２の形態において、第２の部分に設けた調整部で前記装置の支持角度が調整可能である。
【図面の簡単な説明】
【０００７】
【図１】一つの実施の形態に係るテレビを示す斜視図。
【図２】一つの実施形態のテレビを示す側面図。
【図３】一つの実施形態のテレビを図２のＦ３−Ｆ３線に沿って示す断面図。
【図４】一つの実施形態のテレビを分解して示す斜視図。
【図５】一つの実施形態のテレビを図４の反対側から示す斜視図。
【図６】一つの実施形態のカバーを図５のＦ６−Ｆ６線に沿って示す断面図。
【図７】一つの実施形態において二つ折りされた第１の支持部および第２の支持部を示す側面図。
【図８】一つの実施形態の第２の形態におけるテレビを示す斜視図。
【図９】一つの実施形態のカバーが展開されたテレビを示す側面図。
【図１０】一つの実施形態の第２の形態に変形させられるテレビを示す側面図。
【図１１】一つの実施形態の第３の形態におけるテレビを示す斜視図。
【図１２】一つの実施形態の第３の形態に変形させられるテレビを示す側面図。
【発明を実施するための形態】
【０００８】
以下に、一つの実施の形態について、図１から図１２を参照して説明する。なお、以下の記載における各要素の名称は各実施形態における一例であって、当該要素を表現するための名称はそれに限るものではない。幾つかの要素については、他の表現の例について併記することがあるが、その他の要素についても他の表現が適用されることを妨げるものではない。
【０００９】
図１は、テレビジョン受像装置（以下、テレビと称する）１０を示す斜視図である。図２は、テレビ１０を示す側面図である。図３は、図２のＦ３−Ｆ３線に沿ってテレビ１０の一部を示す断面図である。図４は、テレビ１０を分解して示す斜視図である。
【００１０】
図１に示すように、テレビ１０は、受像機１１（装置、表示装置、本体、ユニット、部品、表示部、ディスプレイ）と、カバー１２（ケース、外表部、被覆部、保護部、部分）と、ケーブル１３とを備えている。受像機１１は、装置の一例である。
【００１１】
テレビ１０は、持ち運び可能なテレビジョン受像装置である。テレビ１０は、例えば内蔵のアンテナによって電波を受信する。なお、テレビ１０は、例えばケーブル１３や外部接続機器を介して電波を受信しても良い。
【００１２】
図３に示すように、受像機１１は、筐体２１と、ディスプレイモジュール２２（表示部、パネル、部品）と、回路基板２３（基板、部品、電子部品）とを備えている。回路基板２３は、チューナーの一例である。
【００１３】
筐体２１は、矩形の箱状に形成されている。筐体２１は、第１の面２６（表面、正面）と、第２の面２７（裏面、背面）と、一対の側面２８，２９と、一対の端面３１，３２（上面および下面）とを有している。側面２９は、例えば図１に示される。第２の面２７は、第１の面２６の反対側に位置する。端面３１，３２は、例えば図２に示される。側面２８，２９は、それぞれ端面３１，３２と交差している。第１の面２６に、矩形状の開口部３４が設けられている。第１の面２６は、開口部３４を囲むフレーム部３５を形成する。
【００１４】
図４に破線で示すように、筐体２１の第２の面２７に、複数の面ファスナー３６，３７（固定部、取付部材）が例えば両面テープによって取り付けられている。面ファスナー３６は、取付部の一例である。面ファスナー３６は、筐体２１の一方の端面３１の側に位置している。また、二つの面ファスナー３７は、筐体２１の他方の端面３２の側に位置している。二つの面ファスナー３７はそれぞれ、面ファスナー３６よりも小さく形成されている。
【００１５】
ディスプレイモジュール２２は、例えば液晶ディスプレイである。ディスプレイモジュール２２はこれに限らず、プラズマディスプレイや有機ＥＬディスプレイのような、画像を表示する他のモジュールであっても良い。ディスプレイモジュール２２は、画像を表示する表示部３９（ディスプレイ、画像表示部分）を有している。なお、本明細書において画像とは、静止画および動画を含む。表示部３９は、筐体２１の開口部３４から露出されている。言い換えると、受像機１１は、第１の面２６に設けられた表示部３９を有している。表示部３９は、例えばアクリル製の透明なパネルによって覆われている。
【００１６】
図３に示すように、回路基板２３は、筐体２１の内部に収容されている。回路基板２３は、例えばリジッドプリント配線板であって、画像処理回路、コネクタ、チューナー、および上記のアンテナのような、種々の電子部品が実装されている。回路基板２３は、前記アンテナが受信するとともに前記チューナーが同調した電波に基づいて、ディスプレイモジュール２２の表示部３９に画像を表示させる。
【００１７】
図２に示すように、筐体２１の一方の側面２８に、給電ソケット４１（コネクタ）が設けられている。給電ソケット４１は、筐体２１の一方の端面３２の側に設けられている。給電ソケット４１は、例えばＡＣアダプタのコネクタが挿入される。
【００１８】
図１に示すように、筐体２１の他方の側面２９に、ＵＳＢコネクタ４２（コネクタ）が設けられている。ＵＳＢコネクタ４２は、筐体２１の一方の端面３２の側に設けられている。ＵＳＢコネクタ４２は、ＵＳＢケーブルの端子が挿入される。
【００１９】
図４に示すように、ケーブル１３は、三つの端子を有するいわゆるＹ字型ＵＳＢケーブルである。ケーブル１３の一つの端子は、ＵＳＢコネクタ４２に挿入される。ケーブル１３の他の端子は、例えば記録装置のような外部接続機器に接続される。これにより、受像機１１は、ケーブル１３を介してデータ転送および給電を行う。
【００２０】
カバー１２は、例えば合成皮革やフェルト生地などによって製造され、図１に示すように受像機１１を包んで保護できる。図４に示すように、カバー１２は、第１の部分５１（部分、領域、範囲）と、第２の部分５２（部分、領域、範囲）と、固定部５３と、保持部５４（部分、領域、範囲）と、第１の接続部５５と、第２の接続部５６とを備えている。なお、フェルト生地は、合成皮革よりも滑り難い。
【００２１】
第１の部分５１および第２の部分５２は、それぞれ二つ折り可能に形成されている。第２の部分５２は、二つ折りされる部分を境にそれぞれ設けられた第１の支持部６１（部分、領域、範囲）と第２の支持部６２（部分、領域、範囲）とを有する。第１の支持部６１は、連結部の一例である。第２の支持部６２は、支持部の一例である。第１の部分５１は、二つ折りされる部分を境にそれぞれ設けられた第３の支持部６３（部分、領域、範囲）と第４の支持部６４（部分、領域、範囲）とを有する。
【００２２】
第１の部分５１は、受像機１１よりも大きい矩形状に形成されている。このため、図２に示すように、受像機１１の端面３２は、第１の部分５１の端部５１ａから離れている。
【００２３】
第１の部分５１は、内面６７（面、部分、領域）と、外面６８（面、部分、領域）とを有している。内面６７は、例えばフェルト生地によって形成されている。外面６８は、内面６７の反対側に位置し、例えば合成皮革によって形成されている。図４に示すように、内面６７の周縁部には、縫い目ＳＴが形成されている。なお、縫い目ＳＴは、第２の部分５２、固定部５３、および他の箇所にも形成されている。
【００２４】
内面６７に、複数の面ファスナー７１，７２（固定部、取付部材）が例えば縫い付けられている。面ファスナー７１は、第３の支持部６３に配置されて、受像機１１の面ファスナー３６に対応している。二つの面ファスナー７２は、第４の支持部６４に配置されて、受像機１１の二つの面ファスナー３７にそれぞれ対応している。二つの面ファスナー７２はそれぞれ、面ファスナー７１よりも小さく形成されている。
【００２５】
受像機１１の第２の面２７は、面ファスナー３６が面ファスナー７１に付着することによって、第１の部分５１の第３の支持部６３に取り外し可能に固定される。これにより、受像機１１の第２の面２７は第１の部分５１に取り付けられる。さらに、面ファスナー３７が面ファスナー７２に付着することによって、受像機１１の第２の面２７が、第１の部分５１の第４の支持部６４に取り外し可能に固定される。第２の面２７が第３の支持部６３に付着する力は、第２の面２７が第４の支持部６４に付着する力よりも強い。
【００２６】
図５は、テレビ１０を図４の反対側から示す平面図である。図５に示すように、外面６８に、面ファスナー７３（固定部、取付部材）が例えば縫い付けられている。面ファスナー７３は、第３の支持部６３に配置されている。なお、面ファスナー７３の代わりに、例えば、鉤状の複数の突起が植えられた布である他の面ファスナーが付着可能な、フェルト生地が設けられても良い。
【００２７】
第１の部分５１の第３の支持部６３と第４の支持部６４とは、二つ折りされることができる。言い換えると、第４の支持部６４は、第３の支持部６３に対して回動可能に第３の支持部６３に連結されている。第３の支持部６３は、第４の支持部６４よりも小さい。
【００２８】
第１の部分５１の外面６８に、調整部７４が設けられている。調整部７４は、第４の支持部６４に配置されている。なお、調整部７４は、第３の支持部６３に配置されても良い。
【００２９】
図６は、図５のＦ６−Ｆ６線に沿ってカバー１２の一部を示す断面図である。図６に示すように、調整部７４は、二つのタブ７６を有している。二つのタブ７６は、並んで配置されている。
【００３０】
図６に太線で示すように、タブ７６は、それぞれ面ファスナー７７（固定部、取付部材）を有している。タブ７６の面ファスナー７７は、第１の部分５１の外面６８に設けられた面ファスナー７８（固定部、取付部材）付着する。タブ７６は、それぞれ第１の部分５１の外面６８から片持ち状に引き剥がされ得る。
【００３１】
図４に示すように、第２の部分５２は、受像機１１よりも大きい矩形状に形成されている。第１の部分５１と第２の部分５２とは、おおよそ同じ大きさに形成されている。図３に示すように、第２の部分５２は、一方の面８１（面、部分、領域）と、他方の面８２（面、部分、領域）とを有している。一方の面８１は、例えばフェルト生地によって形成されており、図３において受像機１１に面する。他方の面８２は、一方の面８１の反対側に位置し、例えば合成皮革によって形成されている。このため、一方の面８１は、他方の面８２よりも滑り難い。
【００３２】
第２の部分５２は例えば、一方の面８１を形成するフェルト生地と、他方の面８２を形成する合成皮革とを縫い合わせることで形成されている。当該フェルト生地と合成皮革との間に、剛性部材８４が挟まれている。剛性部材８４は、例えば合成繊維で形成された板状の部材である。剛性部材８４の一部は、受像機１１のフレーム部３５に重ねられ得る。
【００３３】
図４に示すように、剛性部材８４は、第１の支持部６１および第２の支持部６２にそれぞれ設けられている。このため、第１および第２の支持部６１，６２は、それぞれ第１の部分５１よりも剛性が高い。
【００３４】
第１の支持部６１は、第１の接続部５５を介して、第１の部分５１の第４の支持部６４に連結されている。第１の接続部５５は、例えば合成皮革によって形成され、柔軟性を有している。このため、第１の支持部６１は、第１の部分５１の第４の支持部６４に対して回動可能である。なお、第１の接続部５５の幅は、受像機１１の厚みよりも広い。なお、例えば第１の接続部５５を例えば伸縮性のあるゴムで形成することにより、第１の接続部５５の幅を受像機１１の厚みよりも狭くしても良い。また、第１の接続部５５は、第１の部分５１の端部５１ａから延びている。
【００３５】
第１の支持部６１は、第２の支持部６２よりも小さい。第２の部分５２の第１の支持部６１と第２の支持部６２とは、スリットＳＬ（開口、穴、孔、凹部、部分、領域）を介して並んでいる。詳しく述べると、第２の部分５２の第１の支持部６１と第２の支持部６２とのフェルト生地および剛性部材８４によって形成された部分は、互いに断絶している。しかし、第２の部分５２の第１の支持部６１と第２の支持部６２との合成皮革によって形成された部分は、互いに連続している。このため、第１の支持部６１と第２の支持部６２とは連結されている。
【００３６】
図７は、二つ折りされた第１の支持部６１および第２の支持部６２を示す側面図である。図７に示すように、第２の部分５２の第１の支持部６１と第２の支持部６２とは、二つ折りされることができる。言い換えると、第２の支持部６２は、第１の支持部６１に対して回動可能に第１の支持部６１に連結されている。
【００３７】
第２の部分５２の合成皮革によって形成された部分は、スリットＳＬから外れた位置で第１の支持部６１のフェルト生地および剛性部材８４によって形成された部分に縫い付けられている。すなわち、第２の支持部６２は、スリットＳＬから外れた位置で第１の支持部６１に連結されている。言い換えると、第２の支持部６２は、第１の支持部６１に一部が重ねられて連結されている。このため、図７に示すように、第１の支持部６１と第２の支持部６２との間の折り目部分Ｂは、スリットＳＬからずれて形成される。図７では、スリットＳＬが設けられる位置を模式的に符号ＳＬで示している。
【００３８】
図４に示すように、第２の支持部６２の一方の面８１の一部に、面ファスナー８６（固定部、取付部材）が設けられている。面ファスナー８６は、例えば、触れたものを傷つけ難い環状の複数の突起が植えられた布である。なお、面ファスナー８６は、鉤状の複数の突起が植えられた布であっても良い。
【００３９】
固定部５３は、例えば第１の部分５１を三分割したような矩形状に形成されている。固定部５３は、内面８８（面、部分、領域）と、外面８９（面、部分、領域）とを有している。内面８８は、例えばフェルト生地によって形成されている。外面８９は、内面８８の反対側に位置し、例えば合成皮革によって形成されている。
【００４０】
内面８８に、二つの面ファスナー９１（固定部、取付部材）が例えば縫い付けられている。面ファスナー９１は、第１の部分５１の面ファスナー７３および第２の部分５２の面ファスナー８６に対応している。
【００４１】
固定部５３は、第２の接続部５６を介して、第２の部分５２の第２の支持部６２に連結されている。このため、固定部５３は、第２の部分５２を挟んで第１の部分５１の反対側に位置する。
【００４２】
第２の接続部５６は、例えば合成皮革によって形成され、柔軟性を有している。このため、固定部５３は、第２の部分５２の第２の支持部６２に対して回動可能である。なお、第２の接続部５６の幅は、受像機１１の厚みよりも広い。なお、第２の接続部５６を例えば伸縮性のあるゴムで形成することにより、第２の接続部５６の幅を受像機１１の厚みよりも狭くしても良い。
【００４３】
保持部５４は、第１の接続部５５とともに、第２の部分５２の端部から延出している。保持部５４は、例えばフェルト生地によって形成され、柔軟性を有している。保持部５４の端部に、面ファスナー９３が例えば縫い付けられている。このため、保持部５４は、図２に示すように丸められた状態に固定され得る。保持部５４は、ケーブル１３を包んで保持できる。
【００４４】
テレビ１０は、カバー１２が受像機１１を包んで保護する第１の形態と、カバー１２が受像機１１のスタンドとして用いられる第２の形態との間で変形可能である。図８は、第２の形態におけるテレビ１０を示す斜視図である。一方、図１は第１の形態におけるテレビ１０を示している。
【００４５】
図２に示すように、第１の形態において、第２の部分５２が受像機１１の第１の面２６を覆っている。受像機１１は、第１の部分５１と第２の部分５２との間に挟まれている。なお、受像機１１の側面２８，２９は露出されている。さらに、保持部５４が第１の部分５１と第２の部分５２との間に位置している。第１の形態において、保持部５４はケーブル１３を保持可能である。
【００４６】
第２の部分５２は、受像機１１の少なくとも表示部３９を覆う。図３に示すように、第２の部分５２は、受像機１１のフレーム部３５に当接している。このため、第２の部分５２と表示部３９との間には、隙間が設けられている。
【００４７】
図１に示すように、固定部５３は、固定部５３の面ファスナー９１が、第１の部分５１の面ファスナー７３に付着することで、第１の部分５１に取り外し可能に取り付けられている。このため、カバー１２が不用意に展開することが防がれる。このような固定部５３を有するカバー１２によって、受像機１１は、３６０度以上に亘って囲われる。
【００４８】
保持部５４は、ケーブル１３を包んで巻かれる。保持部５４は、面ファスナー９３によって筒状に固定され、ケーブル１３を保持する。図１に破線で示すように、ケーブル１３は三つ折りにされて保持される。保持部５４の長さは、三つ折りにされたケーブル１３の長さとおおよそ等しい。なお、ケーブル１３は、他の折り方をされても良い。
【００４９】
このような第１の形態におけるテレビ１０は、例えば以下のように第２の形態に変形させられる。図９は、カバー１２が展開されたテレビ１０を示す側面図である。まず、固定部５３を第１の部分５１から取り外す。次に、第１の部分５１に対して第２の部分５２を回動させ、第２の部分５２に対して固定部５３を回動させる。これにより、図９に示すようにカバー１２を展開できる。カバー１２が展開すると、第１の部分５１、第２の部分５２、固定部５３、第１の接続部５５、および第２の接続部５６が直列に並ぶ。
【００５０】
図１０は、第２の形態に変形させられるテレビ１０を示す側面図である。図１０に矢印で示すように、第２の部分５２を二つ折りにする。すなわち、第２の支持部６２を第１の支持部６１に対して回動させる。また、固定部５３を第２の支持部６２に対して回動させる。これにより、図１０に二点鎖線で示すように、第１の支持部６１、第２の支持部６２、および固定部５３が、略三角形状に配置される。
【００５１】
次に、図１０の矢印に示すように、受像機１１が取り付けられた第１の部分５１を、第２の部分５２に対して回動させる。これにより、第１の部分５１の外面６８が、第２の支持部６２にもたせ掛けられる。すなわち、第２の支持部６２が第１の部分５１の外面６８を支持する。このため、第２の支持部６２は、図１０に二点鎖線で示すように、受像機１１を傾斜した状態に支持する。
【００５２】
次に、図６に示すように、調整部７４の一つのタブ７６を、第１の部分５１の外面６８から引き剥がす。剥がされたタブ７６の面ファスナー７７を、第２の支持部６２の面ファスナー８６に付着させる。これにより、図１０に示すように、調整部７４のタブ７６に、第２の支持部６２が取り外し可能に固定される。
【００５３】
調整部７４に第２の支持部６２を固定する際、どちらのタブ７６に第２の支持部６２を取り付けるかによって、第１の部分５１と第２の支持部６２との相対的な位置が選択的に調整される。これにより、第１の部分５１の傾斜角が調整される。
【００５４】
また、ケーブル１３の一つの端子が、ＵＳＢコネクタ４２に挿入される。このとき、ケーブル１３は広げられた保持部５４の上を通っても良い。図８に示すように、保持部５４を筒状に巻くことで、保持部５４はケーブル１３をガイドする。面ファスナー９３によって、保持部５４は筒状に固定される。
【００５５】
以上のように、テレビ１０は第２の形態に変形する。第２の形態のテレビ１０は、図７に示すように第１の支持部６１の一方の面８１を載置面Ｇに接地させることにより、カバー１２をスタンドとして用いることができる。第２の形態のテレビ１０を第１の形態に変形させる場合、例えば上記手順を逆に行えば良い。
【００５６】
さらに、テレビ１０は、第２の形態とは異なる形でカバー１２が受像機１１のスタンドとして用いられる第３の形態に変形可能である。図１１は、第３の形態におけるテレビ１０を示す斜視図である。
【００５７】
第１の形態のテレビ１０は、例えば以下のように第３の形態に変形させられる。まず、図９に示すようにカバー１２を展開する。なお、図９では第１および第２の部分５１，５２の間が１８０度ほど開かれているが、第１および第２の部分５１，５２の間が９０度ほど開かれるだけでも良い。
【００５８】
図１２は、第３の形態に変形させられるテレビ１０を示す側面図である。図１２に矢印で示すように、固定部５３を、第２の部分５２に対して回動させる。回動した固定部５３の面ファスナー９１が、第２の部分５２の第２の部分６２の面ファスナー８６に付着することで、固定部５３が第２の部分５２に固定される。
【００５９】
次に、図１２に矢印で示すように、第１の部分５１を二つ折りにする。すなわち、第３の支持部６３を第４の支持部６４に対して回動させる。この際、受像機１１を第４の部分６４に固定する面ファスナー３７，７２は剥がされる。さらに、第４の支持部６４を第２の部分５２に対して回動させる。これにより、図１２に二点鎖線で示すように、受像機１１が第２の部分５２に対して傾斜した状態で、第２の部分５２の一方の面８１に載置される。
【００６０】
回動された第４の支持部６４は、第３の支持部６３と交差するように、第３の支持部６３から折れている。受像機１１が第３の支持部６３に固定されているため、第３の支持部６３に連結された第４の支持部６４は、受像機１１を傾斜した状態に支持する。言い換えると、第２の支持部６２は、第１の部分５１と交差する方向に延びて受像機１１を支持する。
【００６１】
受像機１１が第２の部分５２に載置される位置によって、受像機１１の傾斜角が調整される。傾斜角が大きくなると、第２の部分５２に固定された固定部５３が受像機１１の端面３２に当接し、受像機１１を係止する。また、受像機１１は、第２の部分５２に直交するように、第２の部分５２に載置されても良い。
【００６２】
以上のように、テレビ１０は第３の形態に変形する。第３の形態のテレビ１０は、第２の部分５２の他方の面８２を接地させることにより、カバー１２をスタンドとして用いることができる。第３の形態のテレビ１０を第１の形態に変形させる場合、例えば上記手順を逆に行えば良い。また、テレビ１０は、第２の形態と第３の形態の間で変形することもできる。
【００６３】
前記構成のテレビ１０は、第１の支持部６１および第２の支持部６２が回動することで、第２の部分５２が受像機１１の第１の面２６を覆う第１の形態と、第２の支持部６２が第１の部分５１を支持することで受像機１１を傾斜した状態に支持する第２の形態との間で変形できる。これにより、受像機１１を保護するカバー１２を、容易にスタンドとして用いることができる。
【００６４】
第２の部分５２の第２の支持部６２は、スリットＳから外れた位置で第１の支持部６１に対して回動可能に第１の支持部６１に連結されている。すなわち、第１の支持部６１と第２の支持部６２との間の折り目部分Ｂが、スリットＳＬからずれて形成される。これにより、第２の部分５２が二つ折り可能であったとしても、第２の部分５２の堅牢性が減じることを抑制できる。第１の形態において、このような第２の部分５２が受像機１１の第１の面２６を覆うことで、受像機１１の表示部３９が第２の部分５２に保護される。
【００６５】
第１の形態において、第２の部分５２がフレーム部３５に当接するため、第２の部分５２と表示部３９との間に隙間が設けられる。これにより、第２の部分５２が表示部３９に当接することが抑制され、表示部３９が保護される。
【００６６】
第２の部分５２は、例えば剛性部材８４を有することで、第１の部分５１よりも剛性が高い。これにより、第２の部分５２が外力によって変形することが抑制され、表示部３９が保護される。なお、第２の部分５２は、第１の部分５１よりも剛性が高い材料によって形成されても良い。
【００６７】
受像機１１は、面ファスナー３６によって、第１の部分５１に取り外し可能に取り付けられる。これにより、受像機１１をカバー１２に容易に取り付けることができる。また、受像機１１をカバー１２から取り外して用いることが容易にできる。さらに、受像機１１は、面ファスナー３７によって、第１の部分５１の第４の支持部６４に取り付けられる。これにより、受像機１１が取り付けられた第４の支持部６４が不用意に回動することが抑制される。さらに、面ファスナー３７が面ファスナー３６より小さいため、面ファスナー３７は剥がし易い。このため、テレビ１０を第３の形態に容易に変形させることができる。
【００６８】
第２の支持部６２に連結された固定部５３は、第１の形態において、第１の部分５１に取り外し可能に取り付けられる。これにより、カバー１２が不用意に展開することを防ぐことができる。また、第３の形態において、固定部５３は、受像機１１の端面３２に当接し、受像機１１を係止する。これにより、受像機１１が倒れることを抑制できる。
【００６９】
第２の部分５２の一方の面８１は、他方の面８２を形成する合成皮革よりも滑り難いフェルト生地によって形成されている。これにより、第２の形態において、テレビ１０が例えば机のような載置面Ｇで滑ることが抑制される。また、第３の形態において、受像機１１が第２の部分５２の上で滑ることが抑制され、受像機１１の傾斜角度を容易に調整できる。
【００７０】
第２の形態において、第２の支持部６２は、調整部７４のいずれかのタブ７６に選択的に固定される。すなわち、調整部７４によって、第１の部分５１と第２の支持部６２との相対的な位置を選択的に調整できる。これにより、受像機１１の傾斜角度を容易に調整できる。また、タブ７６の面ファスナー７７が、第２の支持部６２の面ファスナー８６に付着することで、第１の部分５１が第２の支持部６２から不用意に外れることを防止できる。
【００７１】
保持部５４は、第１の形態において、第１の部分５１と第２の部分５２との間に位置し、ケーブル１３を保持している。これにより、ケーブル１３の持ち運びが容易になるとともに、ケーブル１３を収容するために外部に張り出すポケットなどが不要となる。さらに、第２の形態において、ケーブル１３を筒状に固定した保持部５４の中に通すことにより、ケーブル１３の無秩序な配線を抑制できる。
【００７２】
テレビ１０は、第３の支持部６３および第４の支持部６４を回動させることで、第２の形態と異なる第３の形態に変形できる。これにより、カバー１２を、使用時の条件に応じた形状のスタンドとして用いることができる。第２の形態では、例えば机の上に占める面積が第３の形態に比べて小さく、滑り難いフェルト生地によって形成された第２の部分５２の一方の面８１が接地する。一方、第３の形態では、例えば受像機１１の傾斜角の調整が容易で、汚れ難い合成皮革によって形成された第２の部分５２の他方の面８２が接地する。
【００７３】
第１および第２の部分５１，５２は、受像機１１よりも大きい矩形状に形成されている。言い換えると、第１および第２の部分５１，５２の外縁部分は、受像機１１の側面２８，２９および端面３１，３２から突き出ている。このため、第１の形態のテレビ１０が、例えば側面２８から落下した場合であっても、第１および第２の部分５１，５２の外縁部分が受像機１１を保護する。さらに、受像機１１の端面３２は、第１の部分５１の端部５１ａから離れている。このため、第２の形態において、表示部３９の位置が設置する第２の支持部６２から高くなる。したがって、表示部３９は視聴者から見やすくなる。
【００７４】
第１の部分５１の内面６７の周縁部に、縫い目ＳＴが形成されている。縫い目ＳＴは、受像機１１を第１の部分５１に取り付ける際に、位置決めのために利用することができる。このように、縫い目ＳＴによって、受像機１１を第１の部分５１に正確に取り付けることができる。
【００７５】
受像機１１の側面２８，２９は露出されている。このため、側面２８，２９にそれぞれ設けられた給電ソケット４１やＵＳＢコネクタ４２に、各種端子を容易に挿入することができる。
【００７６】
給電ソケット４１およびＵＳＢコネクタ４２は、筐体２１の一方の端面３２の側に設けられている。これにより、例えばＵＳＢコネクタ４２にケーブル１３を接続した際に、ケーブル１３が使用の妨げとなったり、美観を損なったりすることを抑制できる。
【００７７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７８】
例えば、カバー１２は、テレビ１０のみならず、パーソナルコンピュータの表示装置、スレート型コンピュータ、およびスマートフォンのような、表示部を有する他の電子機器に用いられても良い。
【００７９】
カバー１２は、例えば合成皮革のみで形成されるか、フェルト生地のみで形成されても良い。また、カバー１２を形成する材料は、上記の合成皮革やフェルト生地に限らない。例えば、合成樹脂、合成繊維、および布のような種々の材料によって、カバー１２は形成され得る。
【００８０】
各部材を取り外し可能に固定する取付部は、面ファスナーに限らない。取付部は、例えば、ねじ、留め具、スナップボタン、および磁石のような、その他の部材によって形成されても良い。
【００８１】
調整部７４は二つのタブ７６を有していたが、調整部７４はこれに限らない。調整部７４は、例えば三つ以上のタブ７６、第１の部分５１と第２の支持部６２との相対的な位置を無段階に調整できるような長いタブ、およびその他の要素を有しても良い。  
以下に、本願のもとの出願の出願当初の特許請求の範囲の内容を付記する。  
［１］チューナーと、前記チューナーが同調した電波に基づいて画像を表示する表示部が設けられた第１の面と、前記第１の面の反対側に位置する第２の面と、を有する受像機と、  
前記受像機の第２の面が取り付けられる第１の部分と、  
前記第１の部分に対して回動可能に前記第１の部分に連結された第１の支持部と、スリットを介して前記第１の支持部と並ぶとともに前記スリットから外れた位置で前記第１の支持部に対して回動可能に前記第１の支持部に連結された第２の支持部と、を有した第２の部分と、  
を具備し、  
前記第１の支持部および前記第２の支持部が回動することで、前記第２の部分が前記第１の面を覆う第１の形態と、前記第２の支持部が前記第１の部分を支持することで前記受像機を傾斜した状態に支持する第２の形態と、の間で変形可能なテレビジョン受像装置。  
［２］前記受像機の第１の面が、前記表示部を囲むフレーム部を有し、  
前記第２の部分が、前記第１の形態において、前記フレーム部に当接することで前記表示部との間に隙間を設ける［１］に記載のテレビジョン受像装置。  
［３］前記第２の部分の前記第１および第２の支持部は、それぞれ前記第１の部分よりも剛性が高い［１］または［２］に記載のテレビジョン受像装置。  
［４］前記受像機が、前記第２の面に設けられるとともに前記第２の面を前記第１の部分に取り外し可能に固定する取付部によって、前記第１の部分に取り付けられた［１］または［３］に記載のテレビジョン受像装置。  
［５］前記第１の部分の反対側において前記第２の支持部に回動可能に連結され、前記第１の形態において前記第１の部分に取り外し可能に取り付けられる固定部をさらに具備した［１］または［４］に記載のテレビジョン受像装置。  
［６］前記第１の支持部が、前記第１の形態において、前記受像機に面する一方の面と、前記内面の反対側に位置する他方の面とを有し、  
前記第１の支持部の一方の面は、前記第１の支持部の他方の面よりも滑り難い［１］または［５］に記載のテレビジョン受像装置。  
［７］前記第１の部分が、前記受像機が取り付けられる内面と、前記第２の形態において前記第２の支持部に支持される外面とを有し、  
前記第１の部分が、前記第２の形態において、前記第１の部分と前記第２の支持部との相対的な位置を選択的に調整できるように、前記第２の支持部が取り外し可能に固定される調整部を有する［１］または［６］に記載のテレビジョン受像装置。  
［８］前記第１の形態において前記第１の部分と前記第２の部分との間に位置するとともに、前記受像機に接続されるケーブルを保持する保持部をさらに具備した［１］または［７］に記載のテレビジョン受像装置。  
［９］前記第１の部分が、前記受像機が取り付けられる第３の支持部と、前記第３の支持部に対して回動可能に前記第３の支持部に連結された第４の支持部と、を有し、  
前記第３の支持部および前記第４の支持部が回動することで、前記第１の形態と、前記第２の形態と、前記第４の支持部が前記第３の支持部と交差するように前記受像機を傾斜した状態に支持するとともに、前記受像機が前記第２の部分に載置される第３の形態と、の間で変形可能な［１］または［８］に記載のテレビジョン受像装置。  
［１０］画像を表示する表示部が設けられた第１の面と、前記第１の面の反対側に位置する第２の面と、を有する受像機と、  
前記受像機の第２の面に沿って前記受像機を支持する第１の部分と、  
載置面に接地される連結部と、前記第１の部分と交差する方向に延びて前記受像機を支持し、前記連結部に一部が重ねられて回動可能に連結されることで前記連結部を介して前記第１の部分に連結された支持部と、を有し、前記第１の面を覆う形態に変形可能な第２の部分と、  
を具備したテレビジョン受像装置。  
［１１］画像を表示する表示部が設けられた第１の面と、前記第１の面の反対側に位置する第２の面と、を有する装置と、  
前記装置の第２の面が取り付けられる第１の部分と、  
前記第１の部分に対して回動可能に前記第１の部分に連結された第１の支持部と、スリットを介して前記第１の支持部と並ぶとともに前記スリットから外れた位置で前記第１の支持部に対して回動可能に前記第１の支持部に連結された第２の支持部と、を有した第２の部分と、  
を具備し、  
前記第１の指示部および前記第２の支持部が回動することで、前記第２の部分が前記第１の面を覆う第１の形態と、前記第２の支持部が前記第１の部分を支持することで前記装置を傾斜した状態に支持する第２の形態と、の間で変形可能な電子機器。
【符号の説明】
【００８２】
１０…テレビ、１１…受像機、２３…回路基板、２６…第１の面、２７…第２の面、３５…フレーム部、３６…面ファスナー、３９…表示部、５１…第１の部分、５２…第２の部分、５３…固定部、５４…保持部、６１…第１の支持部、６２…第２の支持部、６３…第３の支持部、６４…第４の支持部、６７…内面、６８…外面、７４…調整部、８１…一方の面、８２…他方の面、ＳＬ…スリット。
【図１】
0005781058.tif 000002
【図２】
0005781058.tif 000003
【図３】
0005781058.tif 000004
【図４】
0005781058.tif 000005
【図５】
0005781058.tif 000006
【図６】
0005781058.tif 000007
【図７】
0005781058.tif 000008
【図８】
0005781058.tif 000009
【図９】
0005781058.tif 000010
【図１０】
0005781058.tif 000011
【図１１】
0005781058.tif 000012
【図１２】
0005781058.tif 000013